【手続補正書】
【提出日】平成29年7月18日(2017.7.18)
【手続補正１】
【補正対象書類名】特許請求の範囲
【補正対象項目名】全文
【補正方法】変更
【補正の内容】
【特許請求の範囲】
【請求項１】
被検体の第１の検査データに含まれる第１の画像を解析することにより、前記第１の画像に含まれる異常陰影を含む第１の関心領域の特徴を表す所見を第１の生成所見として取得し、ユーザにより入力された前記第１の関心領域の特徴を表す所見を第１の読影所見として取得する所見取得手段と、
前記第１の生成所見が提示された後にユーザにより操作部から入力された、前記第１の読影所見の変更情報を取得する変更情報取得手段と、
前記被検体の、前記第１の検査データよりも新しい第２の検査データに含まれる第２の画像と、前記変更情報とを表示部に表示させる表示制御手段と、
を有することを特徴とする医療診断支援装置。
【請求項２】
前記表示制御手段は、前記第２の画像に含まれる異常陰影を含む第２の関心領域の特徴を表す所見をユーザが入力するための画面において前記第２の画像と前記変更情報とを前記表示部に表示させることを特徴とする請求項１に記載の医療診断支援装置。
【請求項３】
被検体の第１の検査データに含まれる第１の画像を解析することにより、前記第１の画像に含まれる異常陰影を含む第１の関心領域の特徴を表す所見を第１の生成所見として取得し、ユーザにより入力された前記第１の関心領域の特徴を表す所見を第１の読影所見として取得する所見取得手段と、
前記第１の生成所見が提示された後にユーザにより操作部から入力された、前記第１の読影所見の変更情報に基づいて、前記第１の生成所見の信頼性を評価する評価手段と、
前記被検体の、前記第１の検査データよりも新しい第２の検査データに含まれる第２の画像と、前記第１の生成所見の信頼性を示す情報とを表示部に表示させる表示制御手段と、
を有することを特徴とする医療診断支援装置。
【請求項４】
前記所見取得手段は、前記第２の画像に含まれる異常陰影を含む第２の関心領域の特徴を表す所見を第２の生成所見として取得し、
前記表示制御手段は、前記第１の生成所見の信頼性を示す情報を、前記第２の生成所見とともに前記表示部に表示させることを特徴とする請求項３に記載の医療診断支援装置。
【請求項５】
前記表示制御手段は、前記第２の画像に含まれる異常陰影を含む第２の関心領域の特徴を表す所見をユーザが入力した後に、前記第２の生成所見と前記第１の生成所見の信頼性を示す情報とを前記表示部に表示させることを特徴とする請求項４に記載の医療診断支援装置。
【請求項６】
被検体の第１の検査データに含まれる第１の画像を解析することにより、前記第１の画像に含まれる異常陰影を含む第１の関心領域の特徴を表す所見を第１の生成所見として取得し、ユーザにより入力された前記第１の関心領域の特徴を表す所見を第１の読影所見として取得する所見取得手段と、
前記第１の生成所見が提示された後にユーザにより操作部から入力された、前記第１の読影所見の変更情報に基づいて、前記第１の読影所見の信頼性を評価する評価手段と、
前記被検体の、前記第１の検査データよりも新しい第２の検査データに含まれる第２の画像と、前記第１の読影所見の信頼性を示す情報とを表示部に表示させる表示制御手段と、
を有することを特徴とする医療診断支援装置。
【請求項７】
前記表示制御手段は、前記第２の画像に含まれる異常陰影を含む第２の関心領域の特徴を表す所見をユーザが入力するための画面において前記第２の画像と前記第１の読影所見の信頼性を示す情報とを前記表示部に表示させることを特徴とする請求項６に記載の医療診断支援装置。
【請求項８】
前記変更情報は、前記第１の生成所見が提示された後にユーザが前記操作部から前記第１の読影所見を変更する入力を行ったか否かを示す情報であることを特徴とする請求項１乃至請求項７のいずれか１項に記載の医療診断支援装置。
【請求項９】
前記変更情報は、前記第１の生成所見が提示された後にユーザが前記操作部から前記第１の読影所見を変更した場合に、前記変更の度合いを示す情報であることを特徴とする請求項１乃至請求項７のいずれか１項に記載の医療診断支援装置。
【請求項１０】
被検体の第１の検査データを解析して生成される第１の生成所見と、前記第１の検査データに対し、操作部から入力された第１の読影所見とを取得する所見取得手段と、
前記第１の生成所見が提示された後に、前記第１の読影所見に対し前記操作部から入力された変更情報を取得する変更情報取得手段と、
前記第１の生成所見が提示された後に前記第１の読影所見を変更した結果生じた、前記第１の生成所見と前記第１の読影所見との差異の変化が大きいほど、前記被検体への診断に対する前記第１の生成所見の影響度が大きいと評価する評価手段と、
を有することを特徴とする医療診断支援装置。
【請求項１１】
前記生成所見及び前記読影所見は、前記被検体の診断のための項目に関して、前記被検体が取り得る複数の状態のうちいずれかの状態を示す情報であることを特徴とする請求項１乃至請求項１０のいずれか１項に記載の医療診断支援装置。
【請求項１２】
画像を解析することにより得られる、画像の特徴を示す値である画像特徴量に基づいて異常陰影を検出する検出手段をさらに有することを特徴とする請求項１乃至請求項１１のいずれか１項に記載の医療診断支援装置。
【請求項１３】
前記所見取得手段は、前記画像特徴量に基づいて前記被検体の推定病名を取得することを特徴とする請求項１２に記載の医療診断支援装置。
【請求項１４】
前記所見取得手段は、前記検出された異常陰影を含む前記第１の関心領域の特徴を表す前記第１の生成所見を、前記画像特徴量に基づいて取得することを特徴とする請求項１２又は請求項１３に記載の医療診断支援装置。
【請求項１５】
被検体の第１の検査データに含まれる第１の画像を解析することにより、前記第１の画像に含まれる異常陰影を含む第１の関心領域の特徴を表す所見を第１の生成所見として取得し、ユーザにより入力された前記第１の関心領域の特徴を表す所見を第１の読影所見として取得する所見取得手段と、
前記第１の生成所見が提示された後にユーザにより操作部から入力された、前記第１の読影所見の変更情報を取得する変更情報取得手段と、
前記被検体の、前記第１の検査データよりも新しい第２の検査データに含まれる第２の画像と、前記変更情報とを表示部に表示させる表示制御手段と、
を有することを特徴とする医療診断支援システム。
【請求項１６】
被検体の第１の検査データに含まれる第１の画像を解析することにより、前記第１の画像に含まれる異常陰影を含む第１の関心領域の特徴を表す所見を第１の生成所見として取得し、ユーザにより入力された前記第１の関心領域の特徴を表す所見を第１の読影所見として取得する工程と、
前記第１の生成所見が提示された後にユーザにより操作部から入力された、前記第１の読影所見の変更情報を取得する工程と、
前記被検体の、前記第１の検査データよりも新しい第２の検査データに含まれる第２の画像と、前記変更情報とを表示部に表示させる工程と、
を有することを特徴とする情報処理方法。
【請求項１７】
請求項１６に記載の情報処理方法の各工程をコンピュータに実行させるためのプログラム。
【手続補正２】
【補正対象書類名】明細書
【補正対象項目名】発明の名称
【補正方法】変更
【補正の内容】
【発明の名称】医療診断支援装置、医療診断支援システム、情報処理方法及びプログラム
【手続補正３】
【補正対象書類名】明細書
【補正対象項目名】０００８
【補正方法】変更
【補正の内容】
【０００８】
本発明の医療診断支援装置は、被検体の第１の検査データに含まれる第１の画像を解析することにより、前記第１の画像に含まれる異常陰影を含む第１の関心領域の特徴を表す所見を第１の生成所見として取得し、ユーザにより入力された前記第１の関心領域の特徴を表す所見を第１の読影所見として取得する所見取得手段と、前記第１の生成所見が提示された後にユーザにより操作部から入力された、前記第１の読影所見の変更情報を取得する変更情報取得手段と、前記被検体の、前記第１の検査データよりも新しい第２の検査データに含まれる第２の画像と、前記変更情報とを表示部に表示させる表示制御手段と、を有する。
また、本発明は、上述した医療診断支援装置に係る医療診断支援システム、上述した医療診断支援装置による情報処理方法、及び、当該情報処理方法の各工程をコンピュータに実行させるためのプログラムを含む。